(57)【特許請求の範囲】
【請求項１】
少なくとも一対の連続電気閉回路プレートを有するバッファコンデンサであり、
（ａ）前記一対の連続電気閉回路プレートの各々が少なくとも一つの連続電気閉回路に配置される電気伝導性物質からなり、前記一対の連続電気閉回路プレートの端部が排斥され、その結果前記一対の連続電気閉回路プレートの端部において電荷の集中が排斥され、
（ｂ）前記一対の連続電気閉回路プレートの各々が前記一対の連続電気閉回路プレートの各々を電気回路に接続する手段として少なくとも一つの連続電気閉回路コネクタを備え、
（ｃ）前記連続電気閉回路コネクタを備えた前記連続電気閉回路プレートの各々が誘電物質の少なくとも一つの層を挟んで互いに別のプレートの上面に平行に配置されることを特徴とするバッファコンデンサ。
【請求項２】
前記連続電気閉回路プレートは少なくとも一つの連続電気閉回路に配置される電気伝導性物質からなり、前記連続電気閉回路の前記電気伝導性物質の内周囲に誘電物質を設けて、前記連続電気閉回路の前記電気伝導性物質の前記内周囲が直接内周囲自体に接触しないようにすることにより、前記連続電気閉回路を形成することを特徴とする請求項１に記載のバッファコンデンサ。
【請求項３】
前記一対の連続電気閉回路プレートの前記連続電気閉回路プレートの各々は少なくとも一つの連続電気閉回路コネクタを備え、前記連続電気閉回路コネクタは少なくとも一つの連続電気閉回路に配置される電気伝導性物質からなり、前記電気伝導性物質は部分的に絶縁され、前記電気伝導性物質の内周囲の前記部分的に絶縁された部位にわたって内周囲が直接内周囲自体に接触しないようにすることによって、前記連続電気閉回路を形成し、前記連続電気閉回路は電気回路に電気的に接続する手段を設け、前記連続電気閉回路の前記電気伝導性物質の非絶縁部を用いて各前記一対の連続電気閉回路プレートなどの電気回路に接続される電気伝導性物質に電気的に接続することを特徴とする請求項１に記載のバッファコンデンサ。
【発明の詳細な説明】
【技術分野】
【０００１】
本発明はバッファコンデンサ（ｂｕｆｆｅｒ  ｃａｐａｃｉｔｏｒ）に関するものである。
【発明の開示】
【発明が解決しようとする課題】
【０００２】
コンデンサは電荷を蓄えるために使用され、そうすることで陽極プレートの端部及びコンデンサ電極又はコネクタと陽極プレートとの間の接触点に電荷を集中させる。これらの集中した電荷は最終的には蓄積し陰極プレートに漏れ抵抗加熱を引き起こし、そしてインダクタンスを誘発しコンデンサの性能を損なわせ、そしてコンデンサに故障をもたらし得る。
【課題を解決するための手段】
【０００３】
本発明は少なくとも一対のプレートを有するバッファコンデンサに関し、各プレートが閉回路状になっている。各プレートは従来型のコネクタ又は閉回路コネクタを設ける。従来型コネクタ又は閉回路コネクタを備えたプレートは、順に重ねて平行に配置され、そして誘電物質の交互の層（ａｌｔｅｒｎａｔｅ  ｌａｙｅｒ）によって分離される。閉回路状のプレートは、平行に配置され誘電物質によって互いに電気的に絶縁された電気伝導性物質からなり、かつ電気的に接合され連続電気閉回路（ｃｌｏｓｅｄ  ｃｏｎｔｉｎｕｏｕｓ  ｅｌｅｃｔｒｉｃａｌ  ｌｏｏｐ）を形成することによって、プレートの端部が省かれ、次に電荷の集中が除去される。閉回路コネクタは、一本の電気伝導性物質（ａ  ｌｅｎｇｔｈ  ｏｆ  ａｎ  ｅｌｅｃｔｒｉｃ  ｃｏｎｄｕｃｔｉｎｇ  ｍａｔｅｒｉａｌ）からなり、その長さの一部又は全部にわたる断面において薄くてよく、そしてその薄い長さの一部にわたって電気的に絶縁され、残りの部分は適当な大きさ及び形状の断面を成形しており、或いは何れか一方又は各端部に電気的接続のためのアイレットを備えている。コネクタの薄断面非絶縁部はプレートと電気的に接続され、そして残りの部分は平行に折り畳まれ、接続された部分から絶縁され、或いはプレートの周囲をプレートに電気的に接続された非絶縁部分で包含し、そして残りの部分をプレートから絶縁して電気的に接続し、何れの場合も連続電気閉回路を形成し、その結果プレートとコネクタとの間の接触点における電荷の集中を減少させ又は除去する。
【発明を実施するための最良の形態】
【０００４】
本発明を添付の図面を参照して説明する。
【０００５】
図１から、本発明は少なくとも一対の陽極及び陰極プレートを有するバッファコンデンサに関するものである。各プレートがループ電流又は電荷バッファ１０の形態であり、電気伝導性物質からなり、硬質又は軟質であってよく、平行に配置され、誘電物質１１によって互いに電気的に絶縁され、そして電気的に接合されて電気閉回路を形成する。プレート１０は順に重ねて平行に配置され、そして誘電物質１２の交互の層によって互いに電気的に絶縁され、或いは図２に示されるように、ループ電流又は電荷バッファ１０は他のループ電流又は電荷バッファ１０の内側に設置され、誘電物質１２によって互いに電気的に絶縁される。各プレートは従来のすなわちバッファコネクタ１３を備え、該コネクタは図６に示すような一本の電気伝導性物質からなり、その長さ１９の一部又は全てにわたって薄い断面であってよく、その薄い部分の一部は電気的絶縁部１８であり、残りの部分は適当な大きさ及び形状の断面を有し、何れか一方又は各端部に電気的接続のためのアイレット２０を備えている。図７及び図８に示すように、コネクタの薄断面非絶縁部１７はプレート１４に電気的に接続され、そして残りの部分は平行に折り畳まれて絶縁部１８で接続部と絶縁され、或いはプレートの周囲をプレート１４に電気的に接続された非絶縁部分１７で包含し、かつ絶縁部１８でプレートから絶縁し、そしてアイレット２０の末端を電気的に接続し、何れの場合も連続電気閉回路を形成する。各陽極及び陰極プレート１４が硬質又は軟質の電気伝導性物質で構成される図３に示すバッファコンデンサは、従来のすなわちバッファコネクタ１５及び１６を各プレート１４の端部に備えることによって電流又は電荷バッファを形成するか、或いは図４に示すように各プレートの各端部は、各電流又は電荷バッファ１０に電気的に接続される従来のすなわちバッファコネクタ１５及び１６を備えた電流又は電荷バッファ１０を備え或いは形成する。陽極及び陰極の硬質又は軟質プレート１４の各対は、順に重ねて平行に配置され、誘電物質１２の交互の層によって互いに電気的に絶縁し、そして同じ軟質の陽極及び陰極プレートの端部にて従来のすなわちバッファコネクタ１５及び１６は、図５に示すように、屈曲後に電気的に接続されて連続電気閉回路を形成し、電気的にシールされる（図示せず）。従来のすなわちバッファコネクタ１５及び１６と各陽極及び陰極の硬質プレートの端部は、いくつかの手段（図示せず）によって電気的に接続されて連続電気閉回路を形成し、電気的にシールされる（図示せず）。
【図面の簡単な説明】
【０００６】
【図１】バッファコンデンサを形成するよう配置された電流又は電荷バッファの形態の陽極及び陰極プレートの透視図を示すものである。
【図２】一つを別の内側に配置した電流又は電荷バッファの形態の陽極及び陰極プレートを示すものである。
【図３】各プレートの各端部に従来のすなわちバッファ電極を備えた陽極及び陰極プレートを示すものである。
【図４】各プレートの各端部に電流又は電荷バッファを備えた陽極及び陰極プレートを示すものである。
【図５】屈曲後に接続された従来のすなわちバッファコネクタを示すコンデンサの側面図を示すものである。
【図６】折り畳む前のバッファコネクタを示すものである。
【図７】折り畳まれプレートに電気的に接続されたバッファコネクタを示すものである。
【図８】プレートに電気的に接続されそしてプレートの周囲を覆ったコネクタを示すものである。
【図１】
0005148806.tif 000002
【図２】
0005148806.tif 000003
【図３】
0005148806.tif 000004
【図４】
0005148806.tif 000005
【図５】
0005148806.tif 000006
【図６】
0005148806.tif 000007
【図７】
0005148806.tif 000008
【図８】
0005148806.tif 000009